(57)【要約】      （修正有）【課題】磁石式留め金を有するブレスレットを提供する。【解決手段】ブレスレットは２つの可撓性端部（８、９）を含み、これらは分離可能であり、ブレスレットが閉位置にある場合に重なるよう配設され、一方の端部と一体である第１の磁性回路部分（１１ａ、１１ｂ）及び他方の端部と一体である第２の磁性回路部分（１２ａ、１２ｂ、１２ｃ、１２ｄ、１２ｅ、１２ｆ）を備え、この磁性回路部分は、ブレスレットが閉位置にある場合に互いに引き合って、２つの端部を結合するよう配設される。一方の端部（９）は、複数の第２の磁性回路部分を含み、これら第２の磁性回路部分は、互いに平行に、離間して配設され、ブレスレットの長さを選択することができる。磁性回路部分はそれぞれ、柔らかい強磁性合金のヨークを含み、このヨークは、ブレスレットに対して横方向かつ磁性回路部分が一体となっている端部の接触表面に対して平行に配設される。【選択図】図１
2014008408.tif 000002
【特許請求の範囲】
【請求項１】
ストラップ部分の形状の第１及び第２の可撓性端部（８、９）を備える磁石式留め金を有するブレスレット又はリストバンドであって、
前記端部は分離可能であり、前記ブレスレットが閉位置にある場合に重なるよう配設され、これにより前記ブレスレットが外側及び内側を有するリングを実質的に形成し、かつ前記端部（８、９）が重なり領域を画定し、
各前記端部は接触表面を有し、前記接触表面は前記重なり領域において他方の前記端部の前記接触表面と隣接するよう配設され、これにより、前記第１の端部（８）は前記リングの前記外側にあり、前記第２の端部（９）は前記内側にあり、
前記ブレスレットは、前記第１の端部と一体である第１の磁性回路部分（１１ａ、１１ｂ；１１１；２１１）及び前記第２の端部と一体である第２の磁性回路部分（１２ａ、１２ｂ、１２ｃ、１２ｄ、１２ｅ、１２ｆ；１１２；２１２）を備え、前記第１及び第２の磁性回路部分は、前記ブレスレットが前記閉位置にある場合に互いに引き合って、２つの前記端部（８、９）の前記接触表面を結合するよう配設される、磁石式留め金を有するブレスレット又はリストバンドにおいて；
前記第１及び第２の磁性回路部分はそれぞれ、柔らかい強磁性合金のヨーク（１４、１４ｂ、１６ａ、１６ｂ、１６ｃ、１６ｄ、１６ｅ、１６ｆ；１１４、１１６；２１４、２１６）を含み、前記ヨークは細長い形状を有し、前記ブレスレットに対して横方向かつ前記磁性回路部分が一体となっている前記端部の前記接触表面に対して平行に配設されること、
前記第１の磁性回路部分（１１ａ、１１ｂ；１１１；２１１）は、前記強磁性ヨークと前記第１の端部（８）の前記接触表面との間に配設される双極磁石（１８Ａ；１１８Ａ；２１８Ａ）の列を含み、前記列の前記磁石は、互いに平行かつ前記第１の端部の前記接触表面に対して垂直な分極方向を有すること、
複数の前記第２の磁性回路部分（１２ａ、１２ｂ、１２ｃ、１２ｄ、１２ｅ、１２ｆ；１１２；２１２）は前記第２の端部（９）と一体であり、前記第２の部分は、互いに対して平行に、互いから離間して配設され、これにより、前記ブレスレットの長さを選択することができること、
を特徴とする、磁石式留め金を有するブレスレット又はリストバンド。
【請求項２】
前記強磁性ヨーク（１４、１４ｂ、１６ａ、１６ｂ、１６ｃ、１６ｄ、１６ｅ、１６ｆ；１１４、１１６；２１４、２１６）の長さは、ストラップ部分の形状である前記端部（８、９）の幅の半分より長い、請求項１に記載の磁石式留め金を有するブレスレット。
【請求項３】
２つの前記第２の磁性回路部分（１２ａ、１２ｂ、１２ｃ、１２ｄ、１２ｅ、１２ｆ；１１２；２１２）の間の空間は、前記第２の磁性回路部分の１つの幅の３／４に少なくとも等しい、請求項１又は２に記載の磁石式留め金を有するブレスレット。
【請求項４】
複数の前記第１の磁性回路部分（１１ａ、１１ｂ；１１１；２１１）は前記第１の端部（８）と一体であり、前記第１の部分は互いに対して平行に配設され、互いから離間している、請求項１、２又は３のいずれか１項に記載の磁石式留め金を有するブレスレット。
【請求項５】
前記第１の磁性回路部分（１１ａ、１１ｂ；１１１；２１１）は、前記第２の磁性回路部分（１２ａ、１２ｂ、１２ｃ、１２ｄ、１２ｅ、１２ｆ；１１２；２１２）よりも、互いから大きく離間している、請求項４に記載の磁石式留め金を有するブレスレット。
【請求項６】
前記第２の磁性回路部分（１２ａ、１２ｂ、１２ｃ、１２ｄ、１２ｅ、１２ｆ；１１２；２１２）の個数は、前記第１の磁性回路部分（１１ａ、１１ｂ；１１１；２１１）の個数よりも多く、前記第２の磁性回路部分（１２ａ、１２ｂ、１２ｃ、１２ｄ、１２ｅ、１２ｆ；１１２；２１２）の間の前記空間は、前記第２の端部（９）の端に向かって次第に増大する、請求項５に記載の磁石式留め金を有するブレスレット。
【請求項７】
前記第２の磁性回路部分（１２ａ、１２ｂ、１２ｃ、１２ｄ、１２ｅ、１２ｆ；１１２；２１２）はそれぞれ、前記第２の部分の前記強磁性ヨーク（１６ａ、１６ｂ、１６ｃ、１６ｄ、１６ｅ、１６ｆ；１１６；２１６）と前記第１の端部（９）の前記接触表面との間に配設される双極磁石（１８Ｂ；１１８Ｂ；２１８Ｂ）の列を含み、前記列の前記磁石は、互いに平行かつ前記第２の端部の前記接触表面に対して垂直な分極方向を有し、
前記第１及び第２の磁性回路部分（８、９）の前記磁石の列は全て、同数の前記磁石（１８Ａ、１８Ｂ；１１８Ａ、１１８Ｂ；２１８Ａ、２１８Ｂ）を有し、前記磁石は、前記ブレスレットが前記閉位置にある場合に、前記第１の部分の前記磁石（１８Ａ；１１８Ａ；２１８Ａ）がそれぞれ前記第２の部分の前記磁石（１８Ｂ；１１８Ｂ；２１８Ｂ）とｍａｔｃｈすることができ、２つの組み合わさった前記磁石が重なって、同一方向に分極されるよう配設される、請求項１〜６のいずれか１項に記載の磁石式留め金を有するブレスレット。
【請求項８】
前記列の中のいくつかの前記磁石の分極方向は、同一の前記列の他の前記磁石の分極方向と反対方向になっている、請求項１〜７のいずれか１項に記載の磁石式留め金を有するブレスレット。
【請求項９】
前記磁石の前記列の各前記磁石は、前記磁石の前記列の中で最も近い隣接する前記磁石に対して反対方向に分極される、請求項８に記載の磁石式留め金を有するブレスレット。
【請求項１０】
前記第１及び第２の端部（８、９）はそれぞれ、前記磁性回路部分（１１ａ、１１ｂ、１２ａ、１２ｂ、１２ｃ、１２ｄ、１２ｅ、１２ｆ；１１１、１１２；２１１、２１２）が埋め込まれているエラストマ層を含む、請求項１〜９のいずれか１項に記載の磁石式留め金を有するブレスレット。
【発明の詳細な説明】
【技術分野】
【０００１】
本発明は、永久磁石を備える磁石式留め金を有するブレスレット又はリストバンドに関し、特に、このタイプの磁石式留め金を備える腕時計のブレスレットに関する。
【背景技術】
【０００２】
特許文献１の図１０ｄは、第１及び第２の可撓性ストランドを備える磁石式留め金を有する腕時計のブレスレットを図示しており、両ストランドは分離可能であり、ブレスレットが閉位置にある場合に互いに重なるよう配設される。ブレスレットは更に２つの磁性要素を備え；第１のブレスレットストランドは固定された第１の磁性要素を含み、中空シャフトの形状である第２のストランドは、「可動要素」と呼ばれる第２の磁性要素を含み、この第２の磁性要素は、中空シャフトの内部で摩擦締り嵌めとして長手方向に摺動するよう配設される。ストランドが閉位置にある場合、２つの磁性要素は互いに対向しており、互いに引き合う。このようにして、２つの磁性要素により、ブレスレッドが閉位置にある場合に２つのストランドを互いに固定することができる。その上、可動磁性要素をその中空シャフト内で摺動させることにより、ブレスレットの長さを調整することができる。更に、特許文献１は、ブレスレットが閉位置にある場合に、単に一方のストランドを他方に対して長手方向に摺動させることにより、ブレスレットの長さを調節することができることを教示している。実際、固定された磁性要素によって発生する可動磁性要素状の牽引力が摩擦力を上回るのに十分であれば、一方のストランドを他方の上で摺動させることにより、可動磁性要素をその中空シャフト内で摺動させることができる。
【０００３】
しかしながら、この公知の解決法は、ある欠点を有する。実際、磁性要素間の牽引力が摩擦力を上回るのに十分でない場合、ブレスレットの長さの調整は不可能となる。反対に、可動磁性要素が中空シャフト内であまりに容易に摺動してしまうと、ブレスレットを十分に締めることができなくなる。
【先行技術文献】
【特許文献】
【０００４】
【特許文献１】フランス特許第２８３４６２２号
【発明の概要】
【発明が解決しようとする課題】
【０００５】
本発明の目的は、上述のような先行技術の欠点を克服することである。本発明は、添付の請求項１に従った磁石式留め金を有するブレスレットを提供することにより、この目的を達成する。
【課題を解決するための手段】
【０００６】
本発明の１つの利点は、複数の第２の磁性回路部分のうちいずれの１つを、第１の磁性回路部分と重なった位置に配置するかを選択することのみによって、ブレスレットの長さを選択することができる点である。更に、第２の磁性回路部分のいずれもが第１の磁性回路部分の上に正確に重なっていない場合でも、第１の磁性回路部分と、これに最も近い第２の磁性回路部分との間に存在する相互牽引は、上記第２の部分を重なり位置に移動させるのに通常十分である。
【０００７】
本発明の別の利点は、単一の磁石の代わりに双極磁石の列全体を使用することにより、ブレスレットが閉位置にある場合に、２つの端部の接触表面を互いにより良好に固定することができる。更に、柔らかい強磁性合金で作製されたヨークが各磁性回路部分に存在することには、磁場を適切に導くことができ、従って第１及び第２の磁性回路部分の間の相互牽引力が更に増大する、という利点がある。
【０００８】
本発明の有利な変形例によると、強磁性ヨークの長さは、ブレスレットの端部の長さの半分より長い。この特徴によると、ストラップ形状の端部は長さ方向には可撓性となる一方で、幅方向には比較的剛性とすることができる。この特徴には、ブレスレットが閉位置にある場合に、ブレスレットを手首の形状に適合させることができ、かつ接触表面間の適切な接着を保証することができる、という利点がある。
【０００９】
本発明の別の有利な変形例によると、２つの第２の磁性回路部分の間の空間は、第２の磁性回路部分の１つの幅の３／４に少なくとも等しい。この特徴には、ブレスレットを装着する人の手首の形状にブレスレットを適合させることができる、という利点がある。
【００１０】
本発明の有利な実施形態によると、複数の第１の磁性回路部分は第１の端部と一体であり、上記第１の部分は互いに対して平行に配設され、互いから離間している。磁性回路部分をこのように複数設けることにより、磁石による牽引力をこれに比例して増大させることができ、この牽引力により、ブレスレットが閉位置にある場合に２つの端部の接触表面を結合する。
【００１１】
この後者の実施形態の有利な変形例によると、第１の端部と一体である第１の磁性回路部分は、第２の端部と一体である第２の磁性回路部分よりも、互いに大きく離間している。実際、閉位置において、第１の端部はブレスレットが形成するリングの外側にあり、第２の端部は内側にある。これらの条件において、同一の所定の角度は、内側端部上より外側端部上においてより長い円弧に対することは明らかであろう。このようにして、第１の磁性回路部分が第２の磁性回路部分よりも互いに大きく離間しているという特徴により、端部の重なりによる効果を補正し、ブレスレットが閉位置にある場合に、第１及び第２の磁性回路部分の適切な位置合わせを保証する。
【００１２】
上述の後者の変形例の好ましい実施形態によると、第２の磁性回路部分の間の空間は、ブレスレットの第２の端部の端から離れるにつれて次第に減少する。実際、（第１の磁性回路部分が重なっている）第２の磁性回路部分がブレスレットの端から遠く離れるほど、ブレスレットはきつく締まる、即ち、ブレスレットの直径が小さくなる。これらの条件において、端部の重なりによる効果を補正し、ブレスレットが閉位置にある場合に、第１及び第２の磁性回路部分の適切な位置合わせを保証するために、ブレスレットをきつく締めるにつれて、第２の磁性回路部分の間の空間を減少させる必要がより高くなることは明らかであろう。
【００１３】
上述の実施形態の別の有利な変形例によると、第２の磁性回路部分はそれぞれ、第２の部分の強磁性ヨークと第２の端部の接触表面との間に配設された双極磁石の列を含み；１つの列の分極方向は互いに平行であり、第２の端部の接触表面に対して垂直である。更に、第１及び第２の磁性回路部分の磁石の列は全て、同数の磁石を有し；ブレスレットが閉位置にある場合に第１の部分の磁石がそれぞれ第２の部分の磁石と組み合わさり、２つの組み合わさった磁石が重なり、同じ方向に分極されるように、磁石を配設する。上述の構成において、第１及び第２の磁性回路部分がそれぞれ磁石を含むという特徴により、接触表面間の磁石による牽引力を更に増大させることができる。
【００１４】
本発明の別の有利な実施形態によると、列中の特定の磁石の分極方向は、同じ列中の他の磁石の分極方向と反対方向になっている。この特徴には、磁性回路部分において磁場をより良好に導くことができる、という利点がある。この後者の実施形態の有利な変形例によると、磁石の列の中の各磁石は、磁石の列の中で最も近くにある磁石と反対方向に分極される。この後者の特徴には、磁場が移動する経路を短縮する効果、及びこれに伴い、接触表面の直近の磁場を強化する効果がある。
【００１５】
添付の図面を参照して、単なる非限定的な例としての以下の説明を読むことにより、本発明の他の特徴及び利点が明らかになるであろう。
【図面の簡単な説明】
【００１６】
【図１】図１は、本発明による磁石式留め金を有するブレスレットの第１の実施形態に対応する腕時計の、上面平面図と部分側面断面図とを組み合わせたものであり、ブレスレットの端部を明瞭に示すために、２つのブレスレットストランドを開位置で示す。
【図２ａ】図２ａは、閉位置における図１の腕時計の概略斜視図である。単純化のために、腕時計自体は削除してある。
【図２ｂ】図２ｂは、図２ａのブレスレットの磁石式留め金をより詳細に示す部分断面図であり、特に、ブレスレットの２つの端部の重なりを、その重なり領域において示す。
【図３ａ】図３ａは、本発明の第２の実施形態によるブレスレットの磁石式留め金の概略図であり、ブレスレットが閉位置にある場合の第１及び第２の磁性回路部分の配置を斜視図で示す。
【図３ｂ】図３ｂは、ブレスレットが閉位置にある場合の、第１の磁性回路部分の磁石の１つと、第２の磁性回路部分の磁石の１つとの間の協働をより詳細に示す、図３ａの実施形態の部分前面図である。
【図４】図４は、本発明の第３の実施形態によるブレスレットの磁石式留め金の概略図であり、ブレスレットが閉位置にある第１の磁性回路部分と第２の磁性回路部分との間の協働を前面図で示す。
【発明を実施するための形態】
【００１７】
図１を参照すると、本発明の第１の実施形態による腕時計が示されている。腕時計は、２対のホーン３を有する腕時計ケース１を含み、このホーン３に２つのブレスレットストランド５及び６が取り付けられる。ここで説明する実施形態では、ストランドはエラストマ製であり、これにより、腕時計を装着する人の手首の周りに巻くために必要な可撓性をストランドに与える。ストランド５、６はそれぞれ端部を含み、図１、２ａ及び２ｂではこれら２つの端部をそれぞれ８及び９で表す。図２ａ及び２ｂの概略図に示すように、閉位置において端部は互いに重なり、重なり領域を定義することにも留意されたい。このようにして、各端部は、ブレスレットが閉位置にある場合に他方の端部の接触表面と隣接するよう配設される、接触表面を有する。重なり領域において、第１のストランド（参照符号５）の端部８は、閉位置にあるブレスレットが形成するリングの外側にあり、その一方で、第２のストランド（参照符号６）の端部９はこのリングの内側にある。
【００１８】
図１及び図２ａを同時に参照すると、図１の上面図に示すようにブレスレットストランドが開いている場合、第１のストランド５の接触表面は端部８の下側にあり、第２のストランド６の接触表面は第２の端部９の上部にあることは明らかである。本発明によると、ブレスレットは、第１の端部８と一体である第１の磁性回路部分と、第２の端部９と一体である複数の第２の磁性回路部分とを更に含む。再び図１を参照すると、図示した実施形態において、第１の端部８は２つの第１の磁性回路部分（それぞれ１１ａ、１１ｂで表す）を有し、第２の端部９は６個の第２の磁性回路部分１２ａ、１２ｂ、１２ｃ、１２ｄ、１２ｅ及び１２ｆを有することがわかる。一般的に言って、実際的にはいずれの個数の回路があってよいことは当業者には理解できるであろう。しかしながら、第２の磁性回路部分の個数は少なくとも２つでなければならないことに留意されたい。更に、第１の磁性回路部分の個数は好ましくは、第２の磁性回路部分の個数以下である。一般的規則として、第１及び第２の磁性回路部分の個数が多くなると、牽引力の増大及び信頼性の改善がもたらされる。例えば、図１の実施形態より更に信頼性が高い実施形態は、第１の磁性回路部分を８個と、第２の磁性回路部分を１６個備えてよい。この後者の実施形態は、若干コストが高くなるという欠点を有することになる。
【００１９】
ここで図１を参照すると、本実施例では、第１の磁性回路部分１１ａ、１１ｂは、第２の部分１２ａ、１２ｂ、１２ｃ、１２ｄ、１２ｅ及び１２ｆと同様に、互いに対して平行に配設され、互いから離間していることがわかる。各磁性回路部分は、ブレスレットの幅と実質同じ長さにわたって延在することもわかる。実際、有利には、磁性回路部分の長さはブレスレットの幅の半分を超える。更に、図示した実施例では、２つの第２の磁性回路部分１２ａ、１２ｂ、１２ｃ、１２ｄ、１２ｅ及び１２ｆを隔てる空間は、第２の磁性回路部分のうちの１つの幅の３／４に少なくとも等しいこともわかる。最後に、図１は例として、第１又は第２の磁性回路部分を、それに最も近い磁性回路部分から隔てる空間のサイズの、可能な最大値を示してもいることがわかる。この図は、第１の磁性回路部分１１ａ及び１１ｂは４ｍｍ離間していることを示す。その上、第２の磁性回路部分１２ａ及び１２ｂは３．４０５ｍｍ離間しており、第２の部分１２ｂ及び１２ｃは３．３７５ｍｍ離間しており、部分１２ｃ及び１２ｄは３．３６ｍｍ離間しており、部分１２ｄ及び１２ｅは３．３４ｍｍ離間しており、最後に部分１２ｅ及び１２ｆは３．３２ｍｍ離間している。これらの値は、第２の部分の間の空間は好ましくは第１の部分１１ａ、１１ｂの間の空間より小さい、という事実を示す。ブレスレットが閉位置にある場合、この有利な特徴により、第２の端部の小さい曲率半径が補償される。
【００２０】
２つの第２の磁性回路部分を隔てる空間のサイズに関して上に挙げた数値はまた、第２の磁性回路部分の間の空間は好ましくは、ブレスレットの第２の端部９の端から離れるにつれて次第に減少する、という事実を示す。実際、（第１の磁性回路部分が重なっている）第２の磁性回路部分がブレスレットの端から遠く離れるほど、ブレスレットはきつく締まる、即ち、ブレスレットの直径が小さくなる。これらの条件において、端部の重なりによる効果を補正し、ブレスレットが閉位置にある場合に、第１及び第２の磁性回路部分の適切な位置合わせを保証するために、ブレスレットをきつく締めるにつれて、第２の磁性回路部分の間の空間を減少させる必要がより高くなる。
【００２１】
本発明によると、全ての磁性回路部分１１ａ、１１ｂ、１２ａ、１２ｂ、１２ｃ、１２ｄ、１２ｅ、１２ｆは、柔らかい強磁性合金のヨーク（図２ｂにおいてそれぞれ１４、１４ｂ、１６ａ、１６ｂ、１６ｃ、１６ｄ、１６ｅ及び１６ｆで表す）を含む。以下でより詳細に見るように、本実施例では、ヨークは、ブレスレットの厚み内においてブレスレットの長手方向軸に対して横方向に、他方のブレスレットストランドとの接触表面に対して平行に配設される、小さな長方形のプレートの形状をとる。本発明によると、ブレスレットの第１の端部と一体である第１の磁性回路部分１１ａ及び１１ｂはそれぞれ、磁石の列を含む。その上、本実施例では、ブレスレットの端部の第２の磁性回路部分にも磁石が設けられている。図３ａ及び３ｂからより詳細にわかるように、双極磁石の各列は、ヨークの１つと、他方のブレスレットストランドとの接触表面との間に配設される。
【００２２】
ここで図１及び２ｂを同時に参照すると、端部の一方を他方に対して長手方向にｓｈｉｆｔすることにより、ブレスレットを閉位置において７つの異なる長さにすることができることを理解できる。図２ｂは、第１の磁性回路部分１１ａ及び１１ｂが第２の磁性回路部分１２ｅ及び１２ｄに重なっていることを示す。しかしながら、ブレスレットを可能な限り短くするために、第１の磁性回路部分１１ｂを第２の磁性回路部分１２ｆに重ねる必要があることがわかる。反対に、第１の磁性回路部分１１ａを第２の磁性回路部分１２ａに重ねることにより、ブレスレットの長さを最長にすることができることもわかる。上述の２つの位置において、他方の磁性回路部分は第２の磁性回路部分と対向する位置にないため、第１の磁性回路部分のうち１つのみが第２の磁性回路部分と協働することに留意されたい。従って、以上から、最短及び最長の長さにそれぞれ対応する２つの末端位置におけるよりも、ブレスレットの中間長さに対応する５つの位置における方が、磁石式留め金は強力になることが明らかである。
【００２３】
磁石による牽引力は距離と共に低下するため、この力は主に、互いに対して最も近くにある第１及び第２の磁性回路部分の間に働く。このような最も近い部分は一般に、実質的に重なった状態であるため、磁力はとりわけ、接触表面に対して垂直に働く。よって、磁性回路部分の間の牽引は、接触表面の互いに対する強固な接着を引き起こす効果を有する。その上、磁石による牽引力は、接触表面の互いに対するいずれの長手方向摺動への抵抗力にもなることは明らかであろう。この後者の特徴には、ブレスレットストランド間において平坦な接触表面を使用することができ、従って、ノッチ又はいずれの他の機械的固定手段を省略できる、という利点がある。よって、第１及び第２の磁性回路部分は、「磁石式ノッチ」の機能を果たすと言える。
【００２４】
図３ａ及び３ｂは、本発明の第２の実施形態によるブレスレットの磁石式留め金を形成する第１及び第２の磁性回路部分の配置の、２つの部分概略図である。この第２の実施形態で使用する第１及び第２の磁性回路部分は、上述の第２の実施形態で使用したものと同一であってよい。第１の実施形態と第２の実施形態との違いは主として、第２の実施形態ではより多くの第１及び第２の磁性回路部分を使用する、という点である。図３ａに示すように、第１の磁性回路部分１１１は互いに対して平行に、互いから規則的に離間して配設される。第２の磁性回路部分１１２についても同様である。
【００２５】
本発明によると、第１及び第２の磁性回路部分１１１及び１１２はそれぞれ、柔らかい強磁性合金のヨークを含む（第１の部分が含むヨークは１１４、第２の部分が含むヨークは１１６で表す）。ここで説明する実施形態では、上述の実施形態と同様、ヨークは小さな長方形のプレートの形状をとる。これらは例えば、Ａｒｃｅｌｏｒ  Ｍｉｔｔａｌ（登録商標）がＡＦＫ５０２の名称で販売しているもの等の鉄−コバルト合金積層ストリップを切断することによって作製してよい。上述の例では、ヨークは長さ２５．７５ｍｍ、幅３．２５ｍｍ、厚さ０．５ｍｍである。これもまた図３ａ及び３ｂに示すように、各磁性回路部分において、ヨークは６個の磁石の列（これらの磁石をまとめて１１８で表す）と関連している。本実施例では、磁石は長さ４ｍｍ、幅３．２５ｍｍ、高さ１ｍｍである。例として、ここで使用する磁石はネオジウム−鉄−ホウ素製の標準的な磁石であってよい。
【００２６】
図３ａ及び３ｂはまた、磁石１１８が、ヨーク１４又は１６と、２つのブレスレットストランド（図３ｂにおいて一点鎖線で表す）の間の接触表面との間に配設されることを示す。磁石はヨーク上で、隣接する磁石との間に１．２５ｍｍの空間を有するよう、規則的に離間している。第１の磁性回路部分１１１の磁石は、第２の磁性回路部分１１２の磁石に重なった位置で示されていることもわかる。よって、図示した実施形態によると、ブレスレットが閉位置にある場合、第１の部分の磁石１１８はそれぞれ、第２の部分の磁石１１８と組み合わさる。
【００２７】
本発明によると、磁石は全て、ブレスレットストランドの端部の間の接触表面に対して垂直に分極される。この点に関して、接触表面に対して垂直とは、図３ａ及び３ｂにおける垂直方向であることがわかる。その一方で、磁石１１８が全て垂直方向に分極されているものの、列の中のいくつかの磁石は好ましくは、列の中の他の磁石と反対方向に分極されることも明らかであろう。よって、図３ｂは、いくつかの磁石１１８が（矢印の向きで示すように）上向きに分極され、その他の磁石が下向きに分極されることも示す。しかしながら、２つの重なった磁石（即ち２つの組み合わさった磁石）は、常に同じ方向に分極されることにも留意されたい。最後に、図示した実施例では、各磁石１１８は、磁石の列の中で最も近い隣接する磁石に対して反対方向に分極されることにも留意されたい。再び図３ｂを参照すると、ヨークにおける帯磁方向を矢印で示していることがわかる。これらの矢印から、上述のような磁石１１８及びヨーク１１４、１１６の配置によって磁力の経路が減少し、磁力による悪影響を制限しつつ連結を改善することができることがわかる。
【００２８】
添付の請求項によって定義される本発明の範囲から逸脱しない限りにおいて、本明細書の主題を形成する実施形態に対して、当業者に明らかである様々な改変及び／又は改良を施してよいこともまた明らかであろう。具体的には、第２の磁性回路部分２１６はいずれのマグネットも含まなくてよいことが当業者には理解できるであろう。実際、ここで図４を参照すると、第１の磁性回路部分２１４のみが磁石２１８を含んでいることがわかる。
【図１】
2014008408.tif 000003
【図２ａ】
2014008408.tif 000004
【図２ｂ】
2014008408.tif 000005
【図３ａ】
2014008408.tif 000006
【図３ｂ】
2014008408.tif 000007
【図４】
2014008408.tif 000008